(57)【要約】【課題】  良質な画像の記録が要求されたときにプロセスコントロールを行うようにする。【解決手段】  原稿がセットされ、複写条件が設定される。複写条件として、写真モードあるいは地図モードの所定のモードが選択されたとき、調整モードが実行される。調整モードでは、テストパッチを形成して、このテストパッチを読み取り、適正な動作条件に調整するプロセスコントロールが行われる。その後、調整された動作条件にしたがって、原稿の画像が記録材に記録されて出力される。【選択図】  図５
2007086246.tif 000002
【特許請求の範囲】
【請求項１】
入力された画像情報に基づいて画像を記録する画像記録手段と、該画像記録手段の動作条件を調整する調整手段と、前記画像情報が所定の記録条件を満たすとき、前記調整手段を実行させる制御手段とを備えたことを特徴とする画像記録装置。
【請求項２】
入力された画像情報に基づいて画像を記録する画像記録手段と、画像記録手段の動作条件を調整する調整手段と、該調整手段を実行させる制御手段とを備え、該制御手段は、前記画像情報が入力されたとき、該画像情報が所定の記録条件を満たすか否かを判断して、満たす場合に前記調整手段を実行させることを特徴とする画像記録装置。
【請求項３】
画像記録手段は、動作条件が調整された後、入力された画像情報の画像を記録することを特徴とする請求項１または２記載の画像記録装置。
【請求項４】
画像情報は画像データを含み、所定の記録条件が高解像度の画像データであることを特徴とする請求項１または２記載の画像記録装置。
【請求項５】
画像情報は画像記録条件を含み、所定の記録条件が特定の画像記録条件であることを特徴とする請求項１または２記載の画像記録装置。
【請求項６】
画像情報は入力元情報を含み、所定の記録条件が予め設定された入力元情報であることを特徴とする請求項１または２記載の画像記録装置。
【発明の詳細な説明】
【技術分野】
【０００１】
本発明は、入力された画像データを記録材に記録する画像記録装置に関する。
【背景技術】
【０００２】
電子写真プロセスによる画像記録装置では、画像データが入力されると、予め設定された動作条件にしたがって画像を記録材に記録する。この画像形成装置を使用し続けると、感光体の劣化や環境の変化等によって画質が変化し、安定した画質が得られなくなる。
【０００３】
そこで、安定した画質が得られるように、動作条件の調整するためのプロセスコントロールが行われる。プロセスコントロールでは、テストパッチが形成され、このテストパッチの画質が基準の画質と比較され、最適な動作条件が決定される。このようなプロセスコントロールは、特許文献１に記載されているように、使用実績に応じて定期的に行われる。
【特許文献１】特開２００４−３６１８４７号公報
【発明の開示】
【発明が解決しようとする課題】
【０００４】
プロセスコントロールを行うと、良質な画像が得られる。しかし、写真や地図といった高解像度の画像データが入力されたときに、良質な画像が要求されるが、このときにプロセスコントロールが行われるとは限らない。すなわち、上記のように決められた時期にプロセスコントロールが行われても、良質な画像が要求されたときにはプロセスコントロールが行われず、画質の劣化した画像が得られるおそれがある。
【０００５】
そこで、本発明は、上記に鑑み、良質な画像の記録が要求されたときのように必要なときに、プロセスコントロールを行える画像記録装置の提供を目的とする。
【課題を解決するための手段】
【０００６】
本発明は、入力された画像情報に基づいて画像を記録する画像記録手段と、該画像記録手段の動作条件を調整する調整手段と、前記画像情報が所定の記録条件を満たすとき、前記調整手段を実行させる制御手段とを備えたものである。
【０００７】
すなわち、制御手段は、画像情報が入力されたとき、該画像情報が所定の記録条件を満たすか否かを判断して、満たす場合に前記調整手段を実行させる。満たさない場合には、調整手段を実行しない。そして、制御手段は、調整手段を実行させた後、入力された画像情報に基づいて画像を記録するために、画像記録手段を動作させる。画像記録手段は、調整された動作条件にしたがって、入力された画像情報の画像を記録する。
【０００８】
これによって、特定の画像情報に対しては、適正な動作条件にしたがって画像が記録できる。その結果、良質な画像を提供することができる。
【０００９】
ここで、画像情報は、画像データ、画像記録条件、入力元情報を含んだものである。所定の記録条件としては、高解像度の画像データ、特定の画像記録条件、予め設定された入力元情報があげられる。制御手段は、これらのいずれか１つが画像情報に含まれている場合、所定の記録条件を満たすものと判断し、調整手段を実行させる。
【００１０】
高解像度の画像データは、例えば写真、地図等の高精細な画像データやＷｅｂページのコンテンツの画像データとされる。特定の画像記録条件は、写真モード、地図モードといったように原稿の画質に応じて設定される画像記録条件とされる。予め設定された入力元情報は、特別に登録されたユーザが対象とされる。また、画像記録に際して課金する用途に画像記録装置が使用される場合、入力元情報は、有償で使用するユーザも対象となる。あるいは、課金して画像を記録ときの課金モードを特定の画像記録条件とする。
【発明の効果】
【００１１】
本発明によると、画像の記録を行うとき、写真、地図等の高画質な画像が望まれる場合に、動作条件を調整することができる。したがって、適正な動作条件にしたがって画像を記録することができるので、良質な画像を確実に得ることができる。
【発明を実施するための最良の形態】
【００１２】
本発明の実施形態に係る画像記録装置であるデジタルカラー複合機を図１に示す。複合機本体の上面には、原稿台１１１及び操作パネルが設けられ、複合機本体の内部に、画像読み取り部１１０および画像形成部２１０が設けらる。
【００１３】
原稿台１１１の上面には、両面自動原稿送り装置（RADF；Reversing Automatic Document Feeder）１１２が装着されている。両面自動原稿送り装置１１２は、原稿台１１１に対して開閉可能な状態で支持され、原稿台１１１面に対して所定の位置関係を有している。
【００１４】
両面自動原稿送り装置１１２では、まず、原稿の一方の面が原稿台１１１の所定位置において画像読み取り部１１０に対向するように原稿を搬送する。この一方の面についての画像読み取りが終了した後に、他方の面が原稿台１１１の所定位置において画像読み取り部１１０に対向するように原稿を反転して原稿台１１１に向かって搬送する。そして、両面自動原稿送り装置１１２は、１枚の原稿について両面の画像読み取りが終了した後にこの原稿を排出し、次の原稿についての両面搬送動作を実行する。以上の原稿の搬送および表裏反転の動作は、複写機全体の動作に関連して制御される。
【００１５】
画像読み取り部１１０は、原稿台１１１の下方に配置され、両面自動原稿送り装置１１２により原稿台１１１上に搬送されてきた原稿の画像を読み取る。画像読み取り部１１０は、原稿台１１１の下面に沿って平行に往復移動する原稿走査体１１３、１１４と、光学レンズ１１５と、光電変換素子であるＣＣＤラインセンサ１１６とを有している。
【００１６】
この原稿走査体１１３、１１４は、第１の走査ユニット１１３と第２の走査ユニット１１４とから構成されている。第１の走査ユニット１１４は、原稿画像表面を露光する露光ランプと、原稿からの反射光像を所定の方向に向かって偏向する第１ミラーとを有し、原稿台１１１の下面に対して一定の距離を保ちながら所定の走査速度で平行に往復移動する。第２の走査ユニット１１４は、第１の走査ユニット１１３の第１ミラーにより偏向された原稿からの反射光像をさらに所定の方向に向かって偏向する第２および第３ミラーとを有し、第１の走査ユニット１１３と一定の速度関係を保って平行に往復移動する。
【００１７】
光学レンズ１１５は、第２の走査ユニットの第３ミラーにより偏向された原稿からの反射光像を縮小し、縮小された光像をＣＣＤラインセンサ１１６上の所定位置に結像させる。ＣＣＤラインセンサ１１６は、結像された光像を順次光電変換して電気信号として出力する。ＣＣＤラインセンサ１１６は、白黒画像あるいはカラー画像を読み取り、Ｒ(赤)、Ｇ(緑)、Ｂ(青)の各色成分に色分解したラインデータを出力することのできる３ラインのカラーＣＣＤである。このＣＣＤラインセンサ１１６により電気信号に変換された原稿画像情報は、さらに、後述する画像処理部に転送されて所定の画像データ処理が施される。
【００１８】
次に、画像形成部２１０の構成および画像形成部２１０に係わる各部の構成について説明する。画像形成部２１０の下方には、用紙トレイ内に積載収容されている用紙（記録材）Ｐを１枚ずつ分離して画像形成部２１０に向かって供給する給紙機構２１１が設けられている。そして、１枚ずつ分離供給された用紙Ｐは、画像形成部２１０の手前に配置された一対のレジストローラ２１２により、タイミングが制御されて画像形成部２１０に搬送される。さらに、片面に画像が形成された用紙Ｐは、画像形成部２１０の画像形成にタイミングを合わせて画像形成部２１０に再供給搬送される。
【００１９】
画像形成部２１０の下方には、転写搬送ベルト機構２１３が配置されている。転写搬送ベルト機構２１３は、駆動ローラ２１４と従動ローラ２１５との間に略平行に伸びるように張架された転写搬送ベルト２１６に用紙Ｐを静電吸着させて搬送する構成となっている。
【００２０】
さらに、用紙搬送路における転写搬送ベルト機構２１３の下流側には、用紙Ｐ上に転写形成されたトナー像を用紙Ｐ上に定着させるための定着装置２１７が配置されている。この定着装置２１７の一対の定着ローラ間のニップを通過した用紙Ｐは、搬送方向切り換えゲート２１８を経て、排出ローラ２１９により、複合機本体の外壁に取り付けられている排紙トレイ２２０上に排出される。
【００２１】
切り換えゲート２１８は、定着後の用紙Ｐの搬送経路を、排紙トレイ２２０へ用紙Ｐを排出する経路と、画像形成部２１０に向かって用紙Ｐを再供給する経路との間で選択的に切り換える。切り換えゲート２１８により再び画像形成部２１０に向かって搬送方向が切り換えられた用紙Ｐは、スイッチバック搬送経路２２１を介して表裏反転された後、画像形成部２１０へと再度供給される。
【００２２】
また、画像形成部２１０における転写搬送ベルト２１６の上方には、第１の画像形成ステーションＰａ、第２の画像形成ステーションＰｂ、第３の画像形成ステーションＰｃ、および第４の画像形成ステーションＰｄが、転写搬送ベルト２１６に近接して設けられ、用紙搬送経路上流側から順に並設されている。
【００２３】
転写搬送ベルト２１６は、駆動ローラ２１４によって、図１において矢印Ｚで示す方向に摩擦駆動され、給紙機構２１１を通じて給送される用紙Ｐを担持し、用紙Ｐを画像形成ステーションＰａ〜Ｐｄへと順次搬送する。
【００２４】
各画像ステーションＰａ〜Ｐｄは、実質的に同一の構成を有している。各画像ステーションＰａ、Ｐｂ、Ｐｃ、Ｐｄは、図１に示す矢印Ｆ方向に回転駆動される感光体ドラム２２２ａ、２２２ｂ、２２２ｃ、２２２ｄをそれぞれ有している。
【００２５】
各感光体ドラム２２２ａ〜２２２ｄの周辺には、感光体ドラム２２２ａ〜２２２ｄをそれぞれ一様に帯電する帯電器２２３ａ、２２３ｂ、２２３ｃ、２２３ｄと、感光体ドラム２２２ａ〜２２２ｄ上に形成された静電潜像をそれぞれ現像する現像装置２２４ａ、２２４ｂ、２２４ｃ、２２４ｄと、現像された感光体ドラム２２２ａ〜２２２ｄ上のトナー像を用紙Ｐへ転写する転写用放電器２２５ａ、２２５ｂ、２２５ｃ、２２５ｄと、感光体ドラム２２２ａ〜２２２ｄ上に残留するトナーを除去するクリーニング装置２２６ａ、２２６ｂ、２２６ｃ、２２６ｄとが設けられ、感光体ドラム２２２ａ〜２２２ｄの回転方向に沿ってこの順に配置されている。
【００２６】
また、各感光体ドラム２２２ａ〜２２２ｄの上方には、レーザービームスキャナユニット２２７ａ、２２７ｂ、２２７ｃ、２２７ｄがそれぞれ設けられている。レーザービームスキャナユニット２２７ａ〜２２７ｄは、画像データに応じて変調されたドット光を発する半導体レーザ素子(図示せず)、半導体レーザ素子からのレーザービームを主走査方向に偏向させるためのポリゴンミラー（偏向装置）２４０と、ポリゴンミラー２４０により偏向されたレーザビームを感光体ドラム２２２ａ〜２２２ｄ表面に結像させるためのｆθレンズ２４１やミラー２４２、２４３などから構成されている。
【００２７】
レーザービームスキャナ２２７ａにはカラー原稿画像の黒色成分像に対応する画素信号が、レーザービームスキャナ２２７ｂにはカラー原稿画像のシアン色成分像に対応する画素信号が、レーザービームスキャナ２２７ｃにはカラー原稿画像のマゼンタ色成分像に対応する画素信号が、レーザービームスキャナ２２７ｄにはカラー原稿画像のイエロー色成分像に対応する画素信号がそれぞれ入力される。
【００２８】
そして、色変換された原稿画像情報に対応する静電潜像が各感光体ドラム２２２ａ〜２２２ｄ上に形成される。現像装置２２７ａには黒色のトナーが、現像装置２２７ｂにはシアン色のトナーが、現像装置２２７ｃにはマゼンタ色のトナーが、現像装置２２７ｄにはイエロー色のトナーがそれぞれ収容されており、感光体ドラム２２２ａ〜２２２ｄ上の静電潜像は、これら各色のトナーにより現像される。これにより、画像形成部２１０にて色変換された原稿画像情報が各色のトナー像として再現される。
【００２９】
また、第１の画像形成ステーションＰａと給紙機構２１１との間には、用紙吸着用帯電器２２８が設けられている。この吸着用帯電器２２８は転写搬送ベルト２１６の表面を帯電させ、給紙機構２１１から供給された用紙Ｐは、転写搬送ベルト２１６上に確実に吸着させた状態で第１の画像形成ステーションＰａから第４の画像形成ステーションＰｄの間をずれることなく搬送される。
【００３０】
一方、第４の画像ステーションＰｄと定着装置２１７との間で駆動ローラ２１４のほぼ真上部には、除電器２２９が設けられている。この除電器２２９には搬送ベルト２１６に静電吸着されている用紙Ｐを転写搬送ベルト２１６から分離するための交流電流が印加される。
【００３１】
ここで、記録材である用紙Ｐとしてカットシート状の紙が使用される。この用紙Ｐは、給紙カセットから送り出されて給紙機構２１１の給紙搬送経路のガイド内に供給されると、その用紙Ｐの先端部分がセンサ（図示せず）にて検知され、このセンサから出力される検知信号に基づいて、一対のレジストローラ２１２により一旦停止される。
【００３２】
そして、用紙Ｐは、各画像ステーションＰａ〜Ｐｄとタイミングをとって図１の矢印Ｚ方向に回転している転写搬送ベルト２１６上に送られる。このとき、転写搬送ベルト２１６には吸着用帯電器２２８により所定の帯電が施されているので、用紙Ｐは、各画像ステーションＰａ〜Ｐｄを通過する間、安定して搬送供給される。
【００３３】
各画像ステーションＰａ〜Ｐｄにおいては、各色のトナー像がそれぞれ形成され、転写搬送ベルト２１６により静電吸着されて搬送される用紙Ｐの支持面上で重ね合わされる。第４の画像ステーションＰｄによる画像の転写が完了すると、用紙Ｐは、その先端部分から順次、除電用放電器により転写搬送ベルト２１６上から剥離され、定着装置２１７へと導かれる。最後に、トナー画像が定着された用紙Ｐは、用紙排出口(図示せず)から排紙トレイ２２０上へと排出される。
【００３４】
なお、上述の説明では、レーザービームスキャナユニット２２７a〜２２７ｄによって、レーザービームを走査して露光することにより、感光体への光書き込みを行う。しかし、レーザービームスキャナユニットの代わりに、発光ダイオードアレイと結像レンズアレイからなる書き込み光学系（ＬＥＤヘッド）を用いてもよい。ＬＥＤヘッドは、レーザービームスキャナーユニットに比べ、サイズも小さく、また可動部分がなく無音である。よって、複数個の光書き込みユニットを必要とするタンデム方式の画像記録装置では、好適に用いることができる。
【００３５】
本実施形態の複合機では、上記のようにスキャンされた原稿の画像を記録材に記録するコピーモード以外に、プリンタモード、ファクシミリモード、スキャンモードを実行する。そのため、複合機は、図２に示すように、ユーザの入力を受け付ける操作部１０と、画像データを保存するハードディスク装置１１と、外部機器との通信を行う通信部１２と、ファクシミリ装置と通信するためのＦＡＸモデム１３と、装置全体の制御情報や設定情報等を記憶している管理部１４と、装置全体の制御を司る機器制御部１５とを備えている。
【００３６】
操作部１０は、図３に示すように、各種入力キーからなる入力部１６と、液晶ディスプレイ等の表示部１７とを有し、装置全体の操作や各種設定の入力が行われ、入力内容や装置全体の動作状況が表示される。なお、表示部１７は、タッチパネルとされ、ここから入力操作可能とされる。
【００３７】
ハードディスク装置１１は、処理するための画像データを一時的に保存する。ハードディスク装置１１に画像データが保存されるとき、必要に応じて画像データは暗号化される。
【００３８】
通信部１２は、ＬＡＮケーブルを介してルータ、スイッチングハブ等に接続され、パソコン、サーバ等の情報処理装置によって形成されたネットワークと接続される。ネットワークは、電話回線網や光ファイバ等の通信回線を介してインターネットに接続される。通信部１２は、ネットワーク内の情報処理装置とデータの送受信を行うとともに、インターネットを通じて外部の情報処理装置やファクシミリ装置とデータの送受信を行う。ＦＡＸモデム１３は、電話回線を通じてファクシミリ装置と画像データの送受信を行う。
【００３９】
機器制御部１５は、ネットワークを通じて外部機器からの画像情報の入力や画像読み取り部１１０からの画像情報の入力があると、管理部１４に記憶されている情報に基づいて各部を制御して、入力された画像データを処理する。すなわち、入力された画像データの処理として、操作部１０からの入力や外部機器からの指令にしたがって、コピーモード、プリンタモード、スキャナモード、ファクシミリモードのいずれかを実行して、画像データに基づく画像を形成する。画像を記録するとき、機器制御部１５は、予め設定されている動作条件に基づいて画像形成部２１０を駆動制御する。なお、画像情報には、画像データ、この画像データをどのように処理するかを指示する画像記録条件および入力元情報とを含む。
【００４０】
特に、コピーモード、プリンタモードおよびファクシミリモードにおいて、画像を記録する場合、画像形成部２１０では、入力された画像データの圧縮、伸張、加工等の画像処理を行い、画像処理された画像データから画像を用紙に記録して出力する。
【００４１】
また、機器制御部１５は、所定のタイミングで画像形成部２１０を駆動して、動作条件の調整のためのプロセスコントロールを実行する。なお、この一連の動作を調整モードと称する。具体的には、図４に示すように、画像濃度を変えて複数のテストパッチ２０を転写搬送ベルト２１６上に直接形成し、これらのテストパッチ２０を検出センサ２１により読み取る。機器制御部１５は、検出された画像濃度に基づいて、適正な画像濃度となるような動作条件を決める。このように、プロセスコントロールの実行により、動作条件が調整される。
【００４２】
動作条件としては、感光体ドラム２２２ａ〜２２２ｄの帯電電圧、レーザービームスキャンユニット２２７ａ〜２２７ｄのレーザービーム出力、現像装置２２４ａ〜２２４ｄの現像バイアス電圧、転写ローラ２２５ａ〜２２５ｄへの印加電圧等であり、これらの動作条件は管理部に記憶される。
【００４３】
検出センサ２１は、反射式の光学センサとされ、転写搬送ベルト２１６の下側に近接して配置される。検出センサ２１は、テストパッチ２０の濃度を検出して、機器制御部１５に出力する。なお、図中、２３１はベルトテンションローラである。
【００４４】
機器制御部１５が調整モードを行う所定のタイミングは、電源をオンしたとき所定の時間が経過したとき、あるいは画像記録のカウント数が所定値に達したときである。このときの調整モードは、画像記録が行われないときに実行される。そして、機器制御部１５は、上記のタイミング以外に、入力された画像情報が所定の記録条件を満たすときにも調整モードを実行する。このときの調整モードは、画像記録の動作に関連して行われ、調整された動作条件によって画像が記録される。
【００４５】
すなわち、コピーモードにおいて、写真モードあるいは地図モードが選択されたとき、コピーモードあるいはプリンタモードにおいて、写真、地図といった高解像度の画像データが入力されたとき、プリンタモードにおいて、画像を含むコンテンツが入力されたとき、コピーモード、プリンタモード、ファクシミリモードのいずれかにおいて、入力元が特定のユーザであるときに、調整モードが実行される。
【００４６】
例えば、図５に示すように、画像読み取り部１１０に原稿がセットされたとき、コピーモードが実行される。このとき、操作部１０から画像記録条件（複写条件）が入力される。ここで、画像記録条件として写真モードあるいは地図モードが選択されたとき、調整モードが実行される。調整モードでは、転写搬送ベルト２１６上にテストパッチ２０を形成して、このテストパッチ２０を検出センサ２１によって読み取る。機器制御部１５は、テストパッチ２０における検出された画像濃度を判断して、適正な動作条件に調整する。
【００４７】
調整モードの実行後、適正となった動作条件は管理部１４に記憶される。なお、画像記録条件として文字モードが選択されたときは、調整モードは実行されない。その後、コピーキーがオンされると、記録材の有無やトナー残量を確認してから、原稿が読み取られ、入力された画像データの画像処理が行われ、適正な動作条件に基づいて画像が記録材に記録され出力される。
【００４８】
このように、写真や地図のような高解像度の画像を含む原稿をコピーするとき、調整モードが実行され、適正な動作条件によって画像が形成されるので、良質な画像が得られる。
【００４９】
また、図６に示すように、外部機器からネットワークを通じて画像情報が入力されると、プリンタモードが実行される。機器制御部１５は、入力された画像データをメモリに一時的に記憶して、画像情報に基づいて画像記録条件を設定する。このとき、写真の画像データ、地図の画像データあるいは画像を含むコンテンツが入力されたとき、調整モードが実行される。これ以外の画像データのときは、調整モードは実行されない。動作条件の調整後、外部機器から開始ＯＫの入力があると、適正な動作条件に基づいて画像が記録材に記録され出力される。
【００５０】
このように、写真や地図、さらにＷｅｂページのコンテンツといったような高解像度の画像データが入力されたとき、調整モードが実行され、適正な動作条件によって画像が形成されるので、良質な画像が得られる。
【００５１】
なお、このような画像データは、ネットワーク以外に、メモリカードやＩＣカードといった記憶媒体を通じて入力される場合もある。複合機には、記憶媒体を装着して、通信するためのインターフェースが設けられる。したがって、記憶媒体に写真等の画像データを保存し、記憶媒体から画像データを入力することにより、高精細な写真等の画像を得ることができる。
【００５２】
また、入力元が特定のユーザであるときにも、調整モードが実行される。入力元情報は、画像情報に含まれている。ネットワークや記憶媒体を通じて画像情報が入力されたとき、入力元情報を確認する。予め登録されている入力元であると、調整モードを実行し、良質な画像を提供する。未登録の入力元であると、調整モードは実行しない。したがって、特定のユーザは、常に良質な画像を得ることができる。
【００５３】
ここで、本実施形態の複合機がコンビニエンスストアや商店等に設置され、有償の画像記録サービスを提供する場合がある。このとき、不特定多数のユーザが、原稿のコピーや記憶媒体に保存された画像データの出力、あるいは有償のコンテンツの出力のために、複合機を使用する。この使用に対して課金される。このような課金モードを実行する場合、課金の対価として、良質な画像を提供する必要がある。
【００５４】
図７に示すように、画像データが入力されたとき、課金モードか否かを確認する。課金モードであると、調整モードを実行し、良質な画像を提供する。課金モードでないと、調整モードは実行しない。課金モードの判断は、入金されたか否かで判断する。あるいは、入力元情報から判断する。課金モードの対象となるユーザは不特定多数であるため、入力元として登録されていない。したがって、未登録の入力元であると、課金モードであると判断する。一方、登録された入力元であると、課金モードでないと判断する。すなわち、有償のユーザに対しては、調整モードの実行するための対象となり、無償のユーザに対しては、調整モードを実行しない。
【００５５】
なお、本発明は、上記実施形態に限定されるものではなく、本発明の範囲内で上記実施形態に多くの修正および変更を加え得ることは勿論である。上記実施形態では、画像記録装置として複合機としたが、複写機、プリンタ等の単機能の画像記録装置であってもよい。さらに、電子写真方式に限らず、インクジェットによる画像形成部であってもよい。
【図面の簡単な説明】
【００５６】
【図１】本発明の画像記録装置の一実施形態である複合機の主要部の概略構成を示す図
【図２】複合機の制御ブロック図
【図３】操作部を示す図
【図４】転写搬送ベルト上に形成されたテストパッチを示す図
【図５】特定の画像記録条件の選択により調整モードを実行するときのフローチャート
【図６】特定の画像データの入力により調整モードを実行するときのフローチャート
【図７】課金モードにより調整モードを実行するときのフローチャート
【符号の説明】
【００５７】
１０    操作部
１５    機器制御部
２０    テストパッチ
２１    検出センサ
１１０    画像読み取り部
２１０    画像形成部
２１６    転写搬送ベルト
【図１】
2007086246.tif 000003
【図２】
2007086246.tif 000004
【図３】
2007086246.tif 000005
【図４】
2007086246.tif 000006
【図５】
2007086246.tif 000007
【図６】
2007086246.tif 000008
【図７】
2007086246.tif 000009